(57)【特許請求の範囲】
【請求項１】
内容物が収容される容器本体と、
該容器本体内の内容物を吐出する吐出器と、を備え、
該吐出器は、
前記容器本体の口部に装着される装着キャップと、
該装着キャップに上方付勢状態で下方移動可能に貫設されたステムを有する吐出器本体と、
前記ステムの上端部に固定されるとともに、内容物が吐出される吐出孔が頂壁部に形成された有頂筒状の吐出ヘッドと、を備える吐出容器であって、
内部に前記容器本体が収容され、かつ前記吐出ヘッドが固定される外ケースと、
該外ケースの内部から外部に向けて露出する操作ボタンと、を備え、
前記外ケースは、開閉軸回りに開閉自在に連結された一対のケース分割体が互いに組み合わされてなり、
前記操作ボタンは、容器軸に交差する押込み方向に沿って前記外ケースの内側に向けて押し込まれるように、前記外ケースに回動軸回りに回動自在に連結され、
該操作ボタンには、
前記押込み方向に沿った前側から後側に向かうに従い漸次、下方から上方に向けて延在し、前記装着キャップに該装着キャップの下方から当接する押上げ部と、
該操作ボタンが後退端位置に位置するときに、前記外ケースに設けられた被係合部に係合することで、該操作ボタンの前記押込み方向に沿った後側に向かう回動を規制する規制部と、が設けられていることを特徴とする吐出容器。
【請求項２】
請求項１記載の吐出容器であって、
前記外ケース内には、前記装着キャップの前記押込み方向に沿った前側に向けた移動を規制するとともに、該装着キャップの上方に向けた移動を案内する案内部が設けられていることを特徴とする吐出容器。
【請求項３】
請求項１または２に記載の吐出容器であって、
前記開閉軸は、前記回動軸と平行に延在していることを特徴とする吐出容器。
【発明の詳細な説明】
【技術分野】
【０００１】
本発明は、吐出容器に関する。
【背景技術】
【０００２】
内容物を吐出孔から吐出して被付着部分に付着させる吐出容器として、従来から、例えば下記特許文献１に示されるような、内容物が収容される容器本体と、該容器本体内の内容物を吐出する吐出器と、を備える構成が知られている。該吐出器は、容器本体の口部に装着される装着キャップと、装着キャップに上方付勢状態で下方移動可能に貫設されたステムを有する吐出器本体と、ステムの上端部に固定されるとともに、内容物が吐出される吐出孔が頂壁部に形成された有頂筒状の吐出ヘッドと、を備えている。
【先行技術文献】
【特許文献】
【０００３】
【特許文献１】特公平６−１３０５３号公報
【発明の概要】
【発明が解決しようとする課題】
【０００４】
しかしながら、前記従来の吐出容器では、内容物を被付着部分に付着させるときに、吐出ヘッドを容器本体に対して押し下げて内容物を吐出孔から吐出するため、この吐出時に吐出ヘッドが移動することで、内容物を正確な位置に付着させることが困難であるという問題があった。
【０００５】
本発明は、前述した事情に鑑みてなされたものであって、その目的は、内容物を吐出孔から正確な位置に付着させることができる吐出容器を提供することである。
【課題を解決するための手段】
【０００６】
前記課題を解決するために、本発明は以下の手段を提案している。
本発明に係る吐出容器は、内容物が収容される容器本体と、該容器本体内の内容物を吐出する吐出器と、を備え、該吐出器は、前記容器本体の口部に装着される装着キャップと、該装着キャップに上方付勢状態で下方移動可能に貫設されたステムを有する吐出器本体と、前記ステムの上端部に固定されるとともに、内容物が吐出される吐出孔が頂壁部に形成された有頂筒状の吐出ヘッドと、を備える吐出容器であって、内部に前記容器本体が収容され、かつ前記吐出ヘッドが固定される外ケースと、該外ケースの内部から外部に向けて露出する操作ボタンと、を備え、前記外ケースは、開閉軸回りに開閉自在に連結された一対のケース分割体が互いに組み合わされてなり、前記操作ボタンは、容器軸に交差する押込み方向に沿って前記外ケースの内側に向けて押し込まれるように、前記外ケースに回動軸回りに回動自在に連結され、該操作ボタンには、前記押込み方向に沿った前側から後側に向かうに従い漸次、下方から上方に向けて延在し、前記装着キャップに該装着キャップの下方から当接する押上げ部と、該操作ボタンが後退端位置に位置するときに、前記外ケースに設けられた被係合部に係合することで、該操作ボタンの前記押込み方向に沿った後側に向かう回動を規制する規制部と、が設けられていることを特徴とする。
【０００７】
この発明では、当該吐出容器を形成するときには、まず、一対のケース分割体のうちの一方のケース分割体において、その分割面に沿って形成された開口を通して、該ケース分割体に操作ボタンを配置するとともに回動軸回りに回動自在に連結する。その後、該ケース分割体と他方のケース分割体とを開閉軸回りに相対的に接近移動させ、これらの両分割体の間に、操作ボタンと、吐出器が組み付けられた容器本体と、の両方を挟みこむようにして両分割体を組み合せ、外ケースを形成する。
また、当該吐出容器から内容物を吐出するときには、操作ボタンを押し込むと、操作ボタンが、回動軸回りに回動することで押込み方向に沿った前側に移動する。このとき、操作ボタンの押上げ部と、装着キャップと、が互いに摺接した状態で、操作ボタンが押込み方向に沿った前側に移動することとなり、装着キャップが、押上げ部上を摺動して上方に向けて移動する。これにより、装着キャップが、容器本体とともに外ケースの内部でステムおよび吐出ヘッドに対して押し上げられ、容器本体内の内容物が吐出孔から吐出される。
【０００８】
以上より、操作ボタンを押し込むことで、内容物を吐出孔から吐出させることができるので、内容物の吐出時に、吐出ヘッドおよび外ケースは上下動させないままにしておくことが可能になり、吐出孔の被付着部分に対する位置を安定させ、内容物を正確な位置に付着させることができる。
また操作ボタンが、回動軸回りに回動することで押込み方向に沿った前側に移動するので、操作ボタンの押込み方向に沿った移動を安定させることが可能になり、押上げ部により装着キャップを確実に押し上げることができる。
さらに、吐出容器を形成するときに、容器本体および操作ボタンを、外ケース内にその口部を通さずに配置することができるので、容器本体および操作ボタンの大きさによらず、外ケースの口部を小さくすることが可能になり、当該吐出容器の小型化を図ることができる。
しかも操作ボタンに、前記規制部が設けられているので、操作ボタンが押し込まれておらず後退端位置に位置する待機状態で、操作ボタンが外ケースの外部に向けて意図せず大きく張り出すのを抑えることが可能になり、操作ボタンが不用意に押し込まれるのを抑制することができる。
【０００９】
また、前記外ケース内には、前記装着キャップの前記押込み方向に沿った前側に向けた移動を規制するとともに、該装着キャップの上方に向けた移動を案内する案内部が設けられていてもよい。
【００１０】
この場合、外ケース内に前記案内部が設けられているので、操作ボタンを押し込んだときに、装着キャップの押込み方向の位置を安定させた状態で、装着キャップを円滑に上方に向けて移動させることが可能になり、内容物を確実に吐出させることができる。
【００１１】
また、前記開閉軸は、前記回動軸と平行に延在していてもよい。
【００１２】
この場合、開閉軸が、回動軸と平行に延在しているので、ケース分割体を開閉軸回りに開閉させる方向を、操作ボタンを回動軸回りに回動させる方向と一致させることが可能になり、両ケース分割体を簡便に組み合わせることができる。
【発明の効果】
【００１５】
本発明に係る吐出容器によれば、内容物を吐出孔から正確な位置に付着させることができる。
【図面の簡単な説明】
【００１６】
【図１】本発明の一実施形態に係る吐出容器の部分縦断面図である。
【図２】図１に示す吐出容器の側面図である。
【図３】図１に示す吐出容器の平面図である。
【図４】図１に示す吐出容器において、ケース分割体を組み合わせる前の状態を示す部分縦断面図である。
【図５】図１に示す吐出容器の作用を説明するための部分縦断面図である。
【発明を実施するための形態】
【００１７】
以下、図面を参照し、本発明の一実施形態に係る吐出容器を説明する。
図１および図２に示すように、吐出容器１０は、内容物が収容される容器本体１１と、該容器本体１１内の内容物を吐出する吐出器１２と、内部に容器本体１１が収容される外ケース１３と、該外ケース１３の内部から外部に向けて露出する操作ボタン１４と、を備えている。該吐出容器１０は、例えば内容物としての点鼻剤を鼻孔内に吐出する点鼻容器などとして用いられる。
【００１８】
ここで、容器本体１１および外ケース１３は有底筒状に形成され、これらの容器本体１１および外ケース１３の各中心軸線は、共通軸上に位置している。以下、この共通軸を容器軸Ｏ１といい、容器軸Ｏ１に沿って外ケース１３の口部１３ａ側を上側といい、その反対側を下側という。
【００１９】
吐出器１２は、容器本体１１の口部１１ａに装着される装着キャップ１５と、該装着キャップ１５に上方付勢状態で下方移動可能に貫設されたステム１６を有する吐出器本体１７と、ステム１６の上端部に固定されるとともに、内容物が吐出される吐出孔１８が頂壁部１９ａに形成された有頂筒状の吐出ヘッド１９と、を備えている。該吐出器１２は、吐出ヘッド１９を押し下げてステム１６を下方に移動させ、吐出器本体１７を作動させることにより、容器本体１１内の内容物を、吐出ヘッド１９内を通して吐出孔１８から吐出させる。
【００２０】
装着キャップ１５は、容器軸Ｏ１と同軸に配置されるとともに容器軸Ｏ１方向の両側に開口し容器本体１１の口部１１ａに外装された本体筒部２０と、該本体筒部２０の外周面に突設された軸部２１と、を備えている。
本体筒部２０は、下方から上方に向かうに従い漸次、縮径する多段の筒状に形成されており、本体筒部２０のうちの下段部が、前記口部１１ａに外装されている。
図３に示すように、軸部２１は、本体筒部２０の前記下段部の外周面に、容器軸Ｏ１を間に挟むように一対配設されている。これらの軸部２１同士の容器軸Ｏ１方向の位置は、互いに同等となっている。
【００２１】
図１および図２に示すように、吐出器本体１７は、前記ステム１６と、装着キャップ１５から下方に向けて延在するとともに容器本体１１内に収容され、内部にステム１６の下端部が上下動自在に配設された図示しないシリンダと、ステム１６の下端部に設けられるとともに前記シリンダの内部に上下摺動自在に配設された図示しないピストン部材と、ステム１６と前記シリンダとの間に介装されるとともに、ステム１６を上方付勢する図示しない付勢部材と、を備えており、本実施形態では吐出器本体１７として、いわゆるポンプ機構を採用している。
ステム１６は、容器軸Ｏ１と同軸に配置され、ステム１６の上端部は、本体筒部２０の上端から上方に突出している。
【００２２】
吐出ヘッド１９は、容器軸Ｏ１と同軸に配置されるとともに、下端から上端に向かうに従い漸次、縮径しており、例えば前記鼻孔内に挿入容易に構成されている。
吐出ヘッド１９の頂壁部１９ａには、前記吐出孔１８が、容器軸Ｏ１と同軸に配設されている。また該頂壁部１９ａには、容器軸Ｏ１と同軸に配置され内部が吐出孔１８と連通するノズル筒部２２が、下方に向けて延設されており、該ノズル筒部２２の下端部内には、吐出器本体１７のステム１６の上端部が嵌合されている。
【００２３】
吐出ヘッド１９の下端部は、装着キャップ１５における本体筒部２０のうちの上段部に上下動自在に外挿されており、該下端部の外周面には、その全周にわたって延在する環状溝２３が形成されている。図示の例では、吐出ヘッド１９の下端部の外周面には、容器軸Ｏ１と同軸に配置された環状のフランジ部２４の内周縁が連結されている。該フランジ部２４は、容器軸Ｏ１方向に間隔をあけて一対配設されており、これらのフランジ部２４の間に前記環状溝２３が形成されている。そして該環状溝２３内に外ケース１３の口部１３ａが嵌合されており、これにより、外ケース１３に吐出ヘッド１９が固定されている。
【００２４】
図１に示すように、該操作ボタン１４は、容器軸Ｏ１に交差する押込み方向に沿って外ケース１３の内側に向けて押し込まれるように、外ケース１３に回動軸Ｏ２回りに回動自在に連結されている。本実施形態では、押込み方向は、容器軸Ｏ１に直交する方向とされており、押込み方向と回動軸Ｏ２方向とが、容器軸Ｏ１に直交する図示しない直交面上で互いに直交している。
ここで外ケース１３のうち、当該吐出容器１０を回動軸Ｏ２方向から見た正面視で、容器軸Ｏ１よりも押込み方向の後側に位置する後側部分には、該後側部分を押込み方向に貫通する開口部２５が形成されており、前記操作ボタン１４は、該開口部２５から外部に向けて露出している。
【００２５】
操作ボタン１４は、開口部２５よりも押込み方向に沿った後側に位置する押込み部材２６と、押込み部材２６の下端部から、押込み方向に沿った前側斜め下側に向けて延設され、下端部が外ケース１３内に位置する下部材２７と、押込み部材２６の上端部から押込み方向に沿った前側に延設され、前端部が外ケース１３内に位置する上部材２８と、これらの下部材２７および上部材２８に上下両端部が各別に連結されるとともに、後端部が押込み部材２６に連結された側部材２９と、側部材２９から押込み方向に沿った前側に向けて突設された押上げ部材３０と、を備えている。
【００２６】
押込み部材２６は、表裏面が押込み方向に直交する板状に形成されており、押込み部材２６において押込み方向に沿った後側を向く表面２６ａが、操作ボタン１４における被押込み部分となっている。
図２に示すように、当該吐出容器１０を押込み方向から見た側面視において、押込み部材２６は前記開口部２５の内側に位置している。なお図示の例では、押込み部材２６および開口部２５それぞれの側面視形状はいずれも、辺部が容器軸Ｏ１方向および回動軸Ｏ２方向の各方向に沿う矩形状となっており、押込み部材２６の回動軸Ｏ２方向に沿った大きさは、容器本体１１および装着キャップ１５の回動軸Ｏ２方向に沿った各大きさよりも大きくなっている。
【００２７】
下部材２７は、両側端部が押込み部材２６の両側端部に面一に連結された板状に形成されており、下部材２７において両側端部の間に位置する部分には、該下部材２７を押込み方向に貫通するとともに該下部材２７の下端縁に向けて開口する第１進入凹部３１が形成されている。図１に示すように、この第１進入凹部３１内には、前記容器本体１１が配置されており、第１進入凹部３１の端縁と、容器本体１１の外周面と、の間には、押込み方向の第１隙間Ｓ１があいている。
【００２８】
上部材２８は、両側端部が押込み部材２６の両側端部に面一に連結された板状に形成されており、上部材２８において両側端部の間に位置する部分には、該上部材２８を容器軸Ｏ１方向に貫通するとともに該上部材２８の前端縁に向けて開口する第２進入凹部３２が形成されている。この第２進入凹部３２内には、前記装着キャップ１５が配置されており、第２進入凹部３２の端縁と、装着キャップ１５の外周面と、の間には、押込み方向の第２隙間Ｓ２があいている。
【００２９】
また、上部材２８の側端部には、操作ボタン１４が後退端位置に位置するときに、外ケース１３に設けられた被係合部３３に係合することで、該操作ボタン１４の押込み方向に沿った後側に向かう回動を規制する規制部３４が設けられている。本実施形態では、被係合部３３は、外ケース１３における開口部２５の開口周縁部により構成されるとともに、規制部３４は、上部材２８から上方に向けて突出する突起状に形成されており、被係合部３３に、該被係合部３３の押込み方向に沿った前側から当接している。
側部材２９は、押込み部材２６、下部材２７および上部材２８の各側端部同士を連結し、表裏面が回動軸Ｏ２方向に直交する板状に形成されており、装着キャップ１５および容器本体１１を回動軸Ｏ２方向に挟むように一対配設されている。
【００３０】
押上げ部材３０は、一対の側部材２９それぞれに設けられ、装着キャップ１５を回動軸Ｏ２方向に挟むように一対配設されており、表裏面が側部材２９の表裏面に面一に連結された板状に形成されている。押上げ部材３０は、側部材２９の下端部よりも上側に配設されるとともに、押上げ部材３０の容器軸Ｏ１方向の位置は、押込み部材２６の容器軸Ｏ１方向の位置と同等とされており、押上げ部材３０は、当該操作ボタン１４を押し込んだときに押込み方向に沿った前側に移動する。
【００３１】
そして本実施形態では、該押上げ部材３０には、押込み方向に沿った前側から後側に向かうに従い漸次、下方から上方に向けて延在し、装着キャップ１５に該装着キャップ１５の下方から当接する押上げ部３５が設けられている。
押上げ部３５は、押上げ部材３０の端縁により構成されており、図示の例では、押上げ部材３０の上端縁により構成されている。押上げ部３５は、前記正面視で、容器軸Ｏ１を押込み方向に跨るように延在している。また押上げ部３５は、装着キャップ１５の軸部２１に、該軸部２１の下方から当接しており、図示の例では、押上げ部３５のうち、前記正面視で容器軸Ｏ１よりも押込み方向に沿った後側に位置する部分が、装着キャップ１５の軸部２１に当接している。また図３に示すように、押上げ部３５は、装着キャップ１５のうち、容器軸Ｏ１を間に挟んで互いに反対側に位置する各部分である各軸部２１に当接するように、一対配設されている。
【００３２】
以上のように構成された操作ボタン１４において、押込み部材２６、下部材２７の上端部、上部材２８の後端部および側部材２９の後端部からなる操作ボタン１４の後端部が、外ケース１３の内部から外部に向けて前記開口部２５を通して張り出すとともに、側部材２９および下部材２７の各下端部からなる操作ボタン１４の下端部が、外ケース１３に連結されている。
【００３３】
操作ボタン１４の下端部には、外ケース１３に設けられた被連結部３６に連結される連結部３７が設けられている。連結部３７は、回動軸Ｏ２と同軸に配置された正面視円形状の軸部材とされ、図２に示すように、操作ボタン１４の下端部から回動軸Ｏ２方向の外側に向けて突設されている。
図１および図４に示すように、被連結部３６は、外ケース１３の前記後側部分における下端部の内周面に配設されており、本実施形態では、内部に前記連結部３７が回動軸Ｏ２回りに回転自在に嵌合された正面視円形状の凹部とされている。
【００３４】
なお図示の例では、外ケース１３の前記後側部分における下端部には、回動軸Ｏ２方向の内側に向けて張り出す張出し部３８が形成されており、この張出し部３８と外ケース１３の底面との間に前記被連結部３６が形成されている。さらに張出し部３８には、該張出し部３８の前端縁と被連結部３６とを接続する接続溝３９が形成されており、被連結部３６は、この接続溝３９を通して押込み方向に沿った前側に向けて開口している。
【００３５】
また外ケース１３内には、装着キャップ１５の押込み方向に沿った前側に向けた移動を規制するとともに、装着キャップ１５の上下動を案内する案内部４０が設けられている。
案内部４０は、外ケース１３のうち、前記正面視で、容器軸Ｏ１よりも押込み方向の前側に位置する前側部分に配設されており、本実施形態では、外ケース１３の前記前側部分から押込み方向の後側に向けて突設されている。そして案内部４０は、装着キャップ１５の本体筒部２０の外周面に形成された縦溝４１内に、該縦溝４１の内壁面に押込み方向に沿った前側から近接または当接した状態で、上下摺動自在に配置されている。なお図示の例では、案内部４０は、容器軸Ｏ１方向に延在するとともに、縦溝４１は、容器軸Ｏ１方向の両側に向けて開口しており、案内部４０の下端部が、縦溝４１内にその上端開口部を通して上方から挿入されている。
【００３６】
ここで図４に示すように、外ケース１３は、開閉軸Ｏ３回りに開閉自在に連結された一対のケース分割体４２、４３が互いに組み合わされてなる。本実施形態では、開閉軸Ｏ３は、回動軸Ｏ２に平行に延在しており、外ケース１３は、押込み方向に直交するとともに容器軸Ｏ１が通過する図示しない分割面に沿って押込み方向に２分割されており、本実施形態では、一対のケース分割体４２、４３として、外ケース１３の前記前側部分を構成する第１分割体４２と、外ケース１３の前記後側部分を構成する第２分割体４３と、が備えられている。
【００３７】
これらの両分割体４２、４３は、両分割体４２、４３に各別に設けられた取付け部材４４、４５を介して連結されている。図２および図４に示すように、第１分割体４２には、下方に向けて延在する第１取付け部材４４が、回動軸Ｏ２方向に隙間をあけて一対配設されている。これらの両第１取付け部材４４にはそれぞれ、回動軸Ｏ２方向に貫通する正面視円形状の取付け孔４４ａが、開閉軸Ｏ３と同軸に配設されている。また第２分割体４３には、両第１取付け部材４４の間に配置される第２取付け部材４５が突設されており、この第２取付け部材４５には、両第１取付け部材４４の各取付け孔４４ａ内に、開閉軸Ｏ３回りに回転自在に嵌合される正面視円形状の一対の取付け軸４５ａが突設されている。
【００３８】
ここで、以上のように構成された吐出容器１０を形成するときには、まず、第２分割体４３において、その分割面に沿って形成された開口を通して、第２分割体４３に操作ボタン１４を配置し、操作ボタン１４の前記後端部を開口部２５から外ケース１３の外部に張り出させるとともに、連結部３７を、接続溝３９を通して被連結部３６内に嵌合させ、操作ボタン１４の下端部を外ケース１３に連結する。これにより操作ボタン１４が、第２分割体４３において回動軸Ｏ２回りに回動自在に連結される。
また、第１分割体４２において、その分割面に沿って形成された開口を通して、第１分割体４２に吐出器１２が組み付けられた容器本体１１を配置し、第１分割体４２における口部１３ａを、吐出ヘッド１９の環状溝２３内に嵌合させながら、第１分割体４２の案内部４０を装着キャップ１５の縦溝４１内に配置する。
さらに、第２分割体４３の取付け軸４５ａを、第１分割体４２の取付け孔４４ａ内に嵌合させる。
【００３９】
その後、両分割体４２、４３を開閉軸Ｏ３回りに相対的に接近移動させ、これらの両分割体４２、４３の間に、操作ボタン１４と容器本体１１との両方を挟みこむ。そして、第２分割体４３における口部１３ａを、吐出ヘッド１９の環状溝２３内に嵌合させて両分割体４２、４３を組み合わせ、外ケース１３を形成する。
以上により、吐出器１２および容器本体１１が外ケース１３内に配置された吐出容器１０が形成される。
【００４０】
次に、前記吐出容器１０を用いて内容物を吐出するときには、図５に示すように、操作ボタン１４の押込み部材２６の表面２６ａを外ケース１３の内側に向けて押し込むと、操作ボタン１４が、前記第１隙間Ｓ１および前記第２隙間Ｓ２を押込み方向に狭めながら回動軸Ｏ２回りに回動することで、押込み方向に沿った前側に移動する。
【００４１】
すると、装着キャップ１５の押込み方向に沿った前側に向けた移動が案内部４０により規制され、かつ操作ボタン１４の押上げ部３５と、装着キャップ１５と、が互いに摺接した状態で、操作ボタン１４が押込み方向に沿った前側に移動することとなり、装着キャップ１５の軸部２１が、押上げ部３５上を摺動し、装着キャップ１５が、上方に向けて移動する。このとき本実施形態では、案内部４０が縦溝４１内を摺動することで、この案内部４０により、装着キャップ１５の上方に向けた移動が案内される。
【００４２】
これにより、装着キャップ１５が、容器本体１１とともに外ケース１３の内部でステム１６および吐出ヘッド１９に対して押し上げられ、ステム１６が、容器本体１１に対して相対的に下方に向けて移動させられる。このとき、ステム１６の移動に追従して前記ピストン部材が前記シリンダの内周面に摺接しつつ下方に移動し、該シリンダ内の内容物が圧縮され、ステム１６内および吐出ヘッド１９の前記ノズル筒部２２内を流通して吐出孔１８から吐出される。
【００４３】
その後、操作ボタン１４の押し込みを解除すると、ステム１６に作用する付勢力により、装着キャップ１５が容器本体１１とともにステム１６および吐出ヘッド１９に対して押し下げられる。このとき装着キャップ１５の軸部２１が、押上げ部材３０の押上げ部３５に摺接しながら、装着キャップ１５が下方に移動することで、押上げ部材３０が、押込み方向に沿った後側に向けて移動させられ、操作ボタン１４が復元移動させられる。
【００４４】
以上説明したように、操作ボタン１４を押し込むことで、内容物を吐出孔１８から吐出させることができるので、内容物の吐出時に、吐出ヘッド１９および外ケース１３は上下動させないままにしておくことが可能になり、吐出孔１８の被付着部分に対する位置を安定させ、内容物を正確な位置に付着させることができる。
また操作ボタン１４が、回動軸Ｏ２回りに回動することで押込み方向に沿った前側に移動するので、操作ボタン１４の押込み方向に沿った移動を安定させることが可能になり、押上げ部３５により装着キャップ１５を確実に押し上げることができる。
【００４５】
また、外ケース１３内に前記案内部４０が設けられているので、操作ボタン１４を押し込んだときに、装着キャップ１５の押込み方向の位置を安定させた状態で、装着キャップ１５を円滑に上方に向けて移動させることが可能になり、内容物を確実に吐出させることができる。
【００４６】
また、操作ボタン１４に、前記規制部３４が設けられているので、操作ボタン１４が押し込まれておらず後退端位置に位置する待機状態で、操作ボタン１４が外ケース１３の外部に向けて意図せず大きく張り出すのを抑えることが可能になり、操作ボタン１４が不用意に押し込まれるのを抑制することができる。
【００４７】
また、吐出容器１０を形成するときに、容器本体１１および操作ボタン１４を、外ケース１３内にその口部１３ａを通さずに配置することができるので、容器本体１１および操作ボタン１４の大きさによらず、外ケース１３の口部１３ａを小さくすることが可能になり、当該吐出容器１０の小型化を図ることができる。
さらに、開閉軸Ｏ３が、回動軸Ｏ２と平行に延在しているので、ケース分割体４２、４３を開閉軸Ｏ３回りに開閉させる方向を、操作ボタン１４を回動軸Ｏ２回りに回動させる方向と一致させることが可能になり、両ケース分割体４２、４３を簡便に組み合わせることができる。
【００４８】
なお、本発明の技術的範囲は前記実施形態に限定されるものではなく、本発明の趣旨を逸脱しない範囲において種々の変更を加えることが可能である。
例えば、開閉軸Ｏ３が、回動軸Ｏ２と平行でなくてもよい。
また前記実施形態では、外ケース１３は、押込み方向に直交するとともに容器軸Ｏ１が通過する分割面に沿って押込み方向に２分割されているものとしたが、開閉軸回りに開閉自在に連結された一対のケース分割体が互いに組み合わされてなる他の構成に、適宜変更可能である。例えば、外ケース１３が、容器軸Ｏ１を通過しない分割面に沿って押込み方向に２分割されていてもよく、また、外ケース１３が、回動軸Ｏ２方向や容器軸Ｏ１方向に２分割されていてもよい。
【００４９】
また、前記実施形態では、一対のケース分割体４２、４３は、両分割体４２、４３に各別に設けられた取付け部材４４、４５を介して連結されているものとしたが、これに限られず、これらの両分割体４２、４３が、ヒンジを介して連結されて一体に成形されていてもよい。さらに、ケース分割体と操作ボタンとがヒンジを介して一体に成形されていてもよい。
【００５０】
また、案内部４０は、前記実施形態に示したものに限られず、装着キャップの押込み方向に沿った前側に向けた移動を規制するとともに、該装着キャップの上方に向けた移動を案内する構成であれば、適宜変更することが可能である。
さらに案内部４０はなくてもよい。
【００５１】
また、規制部３４は前記実施形態に示したものに限られず、該操作ボタンが後退端位置に位置するときに、外ケースに設けられた被係合部に係合することで、該操作ボタンの押込み方向に沿った後側に向かう回動を規制する構成であれば、適宜変更することが可能である。例えば、規制部３４としての下部材２７が、被係合部３３としての外ケース１３における開口部２５の開口周縁部に、該開口周縁部の押込み方向に沿った前側から係合してもよい。
さらに前記実施形態では、操作ボタン１４の押込み方向が、容器軸Ｏ１に直交する方向であるものとしたが、容器軸Ｏ１に交差する方向であれば、これに限られない。
【００５２】
また前記実施形態では、押上げ部３５が、押上げ部材３０の上端縁により構成されているものとしたが、これに限られない。例えば、押上げ部材３０に回動軸Ｏ２方向に貫通するとともに、押上げ部材３０の押込み方向に沿った前側から後側に向かうに従い漸次、下方から上方に向けて延在する貫通溝が形成され、この貫通溝を画成する端縁が、押上げ部３５とされてもよい。
【００５３】
また前記実施形態では、押上げ部３５が、装着キャップ１５の軸部２１に、軸部２１の下方から当接しているものとしたが、これに限られるものではない。例えば装着キャップ１５の本体筒部２０に、該本体筒部２０の下方から当接していてもよい。
さらに前記実施形態では、前記待機状態で、押上げ部３５が、装着キャップ１５に当接しているものとしたが、操作ボタン１４が押し込まれたときに、押上げ部３５が装着キャップ１５に当接する構成であれば、前記待機状態で、押上げ部３５が、装着キャップ１５に当接せずに近接していたり、離間していたりしてもよい。
【００５４】
また操作ボタン１４は、前記実施形態に示したものに限られず、容器軸に交差する押込み方向に沿って外ケースの内側に向けて押し込まれるように、外ケースに回動軸回りに回動自在に連結される他の構成を採用することが可能である。
さらに前記実施形態では、吐出器本体１７として、いわゆるポンプ機構を採用したが、これに代えて、例えばエアゾール機構などの他の構造を採用してもよい。
【００５５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５６】
１０  吐出容器
１１  容器本体
１１ａ  口部
１２  吐出器
１３  外ケース
１４  操作ボタン
１５  装着キャップ
１６  ステム
１７  吐出器本体
１８  吐出孔
１９  吐出ヘッド
１９ａ  頂壁部
３３  被係合部
３４  規制部
４０  案内部
４１  縦溝
４２、４３  ケース分割体
Ｏ１  容器軸
Ｏ２  回動軸
【図１】
0005707233.tif 000002
【図２】
0005707233.tif 000003
【図３】
0005707233.tif 000004
【図４】
0005707233.tif 000005
【図５】
0005707233.tif 000006